【手続補正書】
【提出日】平成16年8月2日(2004.8.2)
【手続補正１】
【補正対象書類名】明細書
【補正対象項目名】発明の名称
【補正方法】変更
【補正の内容】
【発明の名称】変色バンド除去装置
【手続補正２】
【補正対象書類名】明細書
【補正対象項目名】特許請求の範囲
【補正方法】変更
【補正の内容】
【特許請求の範囲】
【請求項１】
フォーカスマスク構体を有する陰極線管における変色バンドを除去する装置であって、
前記フォーカスマスク構体にブレークダウン現象が発生したことを検出するブレークダウン検出回路と、
前記ブレークダウン検出回路に応答して前記フォーカスマスク構体を消磁する消磁回路と、
からなる陰極線管の変色バンド除去装置。
【請求項２】
前記消磁回路は、共振磁場を発生する、請求項１記載の陰極線管の変色バンド除去装置。
【請求項３】
前記消磁回路は、共振キャパシタを有し、前記キャパシタの充電によって前記ブレークダウン現象の発生の検出に続いて行われる前記消磁を遅延させる、請求項２記載の陰極線管の変色バンド除去装置。
【請求項４】
前記ブレークダウン現象の発生の検出時に、前記フォーカスマスク構体の自動消磁と手動消磁との間の選択を行なう第１のスイッチ手段と、前記手動消磁を開始させる第２のスイッチ手段とを含む、請求項１記載の陰極線管の変色バンド除去装置。
【請求項５】
フォーカスマスク構体を有する陰極線管における変色バンドを除去する装置であって、
前記フォーカスマスク構体にブレークダウン現象が発生したことを検出するブレークダウン検出回路と、
前記ブレークダウン検出回路に結合された消磁制御回路と、
前記消磁制御回路に応答して前記フォーカスマスク構体を消磁する消磁回路と、
からなる陰極線管の変色バンド除去装置。
【請求項６】
前記ブレークダウン検出回路は、前記ブレークダウン現象の発生の検出時に前記消磁制御回路をトリガする、請求項５記載の陰極線管の変色バンド除去装置。
【請求項７】
前記ブレークダウン検出回路は、前記消磁制御回路に波形を供給する、請求項６記載の陰極線管の変色バンド除去装置。
【請求項８】
前記波形は、実質的にパルス形状である、請求項７記載の陰極線管の変色バンド除去装置。
【請求項９】
前記消磁制御回路は、前記ブレークダウン現象の発生の検出後に、前記陰極線管スクリーンの次のブランキングが生ずるまで消磁を遅延させる、請求項６記載の陰極線管の変色バンド除去装置。
【請求項１０】
前記ブランキングは、前記陰極線管に供給されるビデオ信号の垂直ブランキングパルスに応答する、請求項９記載の陰極線管の変色バンド除去装置。
【請求項１１】
前記消磁制御回路は、
ブレークダウン現象の発生を示す情報を記憶する手段と、
前記装置にブランキングパルスを供給する手段と、
前記記憶手段からの前記情報を前記ブランキングパルスと比較する手段と、
前記比較手段に応答するトリガ手段と、
からなる請求項５記載の陰極線管の変色バンド除去装置。
【請求項１２】
前記トリガ手段は、単安定マルチバイブレータ回路を有する、請求項１１記載の陰極線管の変色バンド除去装置。
【請求項１３】
前記マルチバイブレータ回路は、再トリガ不能動作モードとして構成される、請求項１２記載の陰極線管の変色バンド除去装置。
【請求項１４】
前記比較手段は、前記ブレークダウン現象の発生の検出後の次のブランキングパルスの発生期間の間に消磁を可能にする、請求項１１記載の陰極線管の変色バンド除去装置。
【請求項１５】
前記ブランキングパルスは、垂直ブランキングパルスである、請求項１４記載の陰極線管の変色バンド除去装置。
【請求項１６】
フォーカスマスク構体を有する陰極線管における変色バンドを除去する装置であって、
ブレークダウン現象の発生を示す情報を記憶する手段と、
前記装置にブランキングパルスを供給する手段と、
前記記憶手段からの前記情報を前記ブランキングパルスと比較する第１の手段と、
前記第１の手段に応答するトリガ手段と、
前記第１の手段に応答するパルス波形を発生する手段と、
前記記憶手段からの前記情報を前記パルス波形と比較する第２の手段と、
前記トリガ手段に応答して前記フォーカスマスク構体を消磁する消磁回路と、からなる陰極線管の変色バンド除去装置。
【請求項１７】
前記第２の手段は、前記パルス波形の持続期間の間、前記フォーカスマスク構体の消磁を遅延させる、請求項１６記載の陰極線管の変色バンド除去装置。
【請求項１８】
前記パルス波形を発生する手段は、単安定マルチバイブレータ回路を有する、請求項１６記載の陰極線管の変色バンド除去装置。
【請求項１９】
前記マルチバイブレータ回路は、再トリガ不能動作モードとして構成される、請求項１８記載の陰極線管の変色バンド除去装置。
【手続補正３】
【補正対象書類名】明細書
【補正対象項目名】００１０
【補正方法】変更
【補正の内容】
【００１０】
ここで説明する本発明を構成するに当たって、第３の観点として、ブレークダウン現象の影響がビデオ表示装置の視聴者に気付かれないように、変色バンド除去（修正）回路は変色バンドを急速に除去するためにフォーカスマスクを消磁する。
【手続補正４】
【補正対象書類名】明細書
【補正対象項目名】００３０
【補正方法】変更
【補正の内容】
【００３０】
変色バンド除去（修正）装置２００のより優れた形式の解決法が図６にブロック図の形で示されている。フォーカスマスク構体１００の第１の層１０は約２０ｋＶ乃至約３０ｋＶの間の値を示すアルタ電圧源に接続されている。第２の層３０はバイアス源２１０に結合されており、該バイアス源２１０は、通常の設計によるものでよいが、もしブレークダウン現象が生じたときに、第１の層１０と第２の層３０との間の適当なバイアス電圧を急速に回復するのに十分強力であることが好ましい。
【手続補正５】
【補正対象書類名】明細書
【補正対象項目名】００４７
【補正方法】変更
【補正の内容】
【００４７】
データ入力２４１における低論理“Ｌ”の補信号は、クロック入力２４３におけるトリガパルスの正方向への変化時にフリップフロップ２２４の反転出力２４２に転送される。現在での消磁制御回路２３０の好ましい実施例では、トリガパルス２４５はビデオ表示装置の垂直ブランキングパルス２４６から取り出されるという利点があり、それによって消磁動作はブレークダウン現象の検出後の次のブランキング期間まで遅延される。これによってビデオ表示装置の視聴者に迷惑をかけることなく変色バンドの異常を除去（修正）することができる。勿論ブレークダウン現象の検出時に直ちに消磁を行うことができるように消磁制御回路２３０を適当に修正あるいは省略することも可能なことは当業者には明らかである。
【手続補正６】
【補正対象書類名】明細書
【補正対象項目名】図面の簡単な説明
【補正方法】変更
【補正の内容】
【図面の簡単な説明】
【図１】
従来のフォーカスマスク形式の色選択構体を示す図である。
【図２】
フォーカスマスク色選択構体におけるブレークダウン現象を説明するのに有効な図である。
【図３】
フォーカスマスク色選択構体におけるブレークダウン現象を説明するのに有効な図である。
【図４】
フォーカスマスク色選択構体におけるブレークダウン現象を説明するのに有効な図である。
【図５】
フォーカスマスク色選択構体におけるブレークダウン現象を説明するのに有効な図である。
【図６】
本発明の装置による変色バンド除去（修正）装置をブロックの形式で示した図である。
【図７】
図６中のブロック図で示した回路成分を回路図の形で示した図である。
【図８】
図６中のブロック図で示した回路成分の部分を回路図の形で示した図である。
【図９】
図６中のブロック図で示した回路成分の部分を回路図の形で示した図である。
【図１０】
従来の共振消磁回路を示す図である。
【図１１】
図１０の消磁回路の動作を説明するのに有効な図である。
【符号の説明】
１００    フォーカスマスク構体
２００    変色バンド除去（修正）装置
２２０    ブレークダウン検出回路
２３０    消磁制御回路
２７０    消磁回路